(57)【要約】【課題】撮像装置等の情報機器の小型化を阻害せず、かつ、太陽光の照射する屋外でも画像をより見易く表示できるようにする。【解決手段】情報機器に着脱可能な表示装置２００が、画像データ取得部２２と、電子ビューファインダ２１２とを具備する。そして、画像データ取得部２２は、情報機器から出力される画像データを取得する。また、電子ビューファインダ２１２は、画像データ取得部２２が取得した画像データの示す画像を表示する。このように、電子ビューファインダ２１２が画像を表示することで、太陽光の照射する屋外でも画像をより見易く表示できる。また、表示装置２００が、情報機器とは別の装置として構成されているので、情報機器の小型化を阻害しない。【選択図】図１
2013175971.tif 000002
【特許請求の範囲】
【請求項１】
情報機器から出力される画像データを取得する画像データ取得部と、
前記画像データ取得部が取得した画像データの示す画像を表示する電子ビューファインダと、
前記情報機器に着脱可能に接する対情報機器合体部と、
を具備することを特徴とする表示装置。
【請求項２】
前記電子ビューファインダへの物体の近接を検出する近接検出部と、
前記近接検出部が前記近接を検出すると、前記画像データ取得部が取得した画像データの示す画像を前記電子ビューファインダに表示させる制御部と、
を具備することを特徴とする請求項１に記載の表示装置。
【請求項３】
前記近接検出部が前記近接を検出したことを示す近接検出信号を出力する近接検出信号出力部を具備することを特徴とする請求項２に記載の表示装置。
【請求項４】
表示装置に画像データを出力する画像データ出力部と、
前記表示装置に着脱可能に接する対表示装置合体部と、
を具備することを特徴とする情報機器。
【請求項５】
入射光を画像データに変換し出力する撮像部を具備し、
前記画像データ出力部は、前記撮像部の出力する画像データを出力することを特徴とする請求項４に記載の情報機器。
【請求項６】
情報機器と表示装置とを具備し、
前記情報機器は、
前記表示装置に画像データを出力する画像データ出力部と、
前記表示装置に着脱可能に接する対表示装置合体部と、
を具備し、
前記表示装置は、
前記画像データ出力部から出力される画像データを取得する画像データ取得部と、
前記画像データ取得部が取得した画像データの示す画像を表示する電子ビューファインダと、
前記情報機器に着脱可能に接する対情報機器合体部と、
を具備することを特徴とする情報処理システム。
【請求項７】
電子ビューファインダを具備し、情報機器に着脱可能な表示装置の表示方法であって、
前記情報機器から出力される画像データを取得する画像データ取得ステップと、
前記画像データ取得ステップにて取得した画像データの示す画像を前記電子ビューファインダに表示させる表示ステップと
を具備することを特徴とする表示方法。
【請求項８】
電子ビューファインダを具備し、情報機器に着脱可能な表示装置を制御するコンピュータに、
前記情報機器から出力される画像データを取得する画像データ取得ステップと、
前記画像データ取得ステップにて取得した画像データの示す画像を前記電子ビューファインダに表示させる表示ステップと
を実行させるためのプログラム。
【発明の詳細な説明】
【技術分野】
【０００１】
本発明は、表示装置、情報機器、情報処理システム、表示方法およびプログラムに関する。
【背景技術】
【０００２】
カメラ付き携帯電話機などモニタを有する撮像装置を屋外で用いる際、モニタに太陽光が照射すると、モニタの画像が見えづらくなってしまう。そこで、撮像装置の構成を、モニタに加えて電子ビューファインダを有する構成とすることが考えられる。この電子ビューファインダは、周辺光を遮光する覗き窓と、当該覗き窓に設けられた表示画面を有し、周辺光を遮光して表示画面に画像を表示する。従って、ユーザは、太陽光の照射する屋外でも、電子ビューファインダを用いることで太陽光の影響を受けずに、より確実に画像を確認することができる。
【０００３】
この電子ビューファインダに関連して、幾つかの技術が開示されている。例えば、特許文献１に記載の携帯電話機は、撮像した画像をメモリに記憶し、記憶した画像を読み出して確認できるモニタ部を有し、また、モニタ部以外に画像確認用の電子ビューファインダを具備する。
これにより、撮像時の画像確認が容易になり、記憶した画像確認時の消費電力が少なくて見やすく、さらに操作性が良いとされている。
【０００４】
また、特許文献２に記載の撮像装置は、電子ビューファインダと液晶表示モニタとを有する。そして、この撮像装置のシステム制御装置は、モニタ開閉検出スイッチが開状態か閉状態か、及び、モニタ反転検出スイッチが正転位置か反転位置かに応じて、液晶表示モニタ及び電子ビューファインダの表示／非表示を制御する。具体的には、通常時は、液晶表示モニタを撮影者側に向けている場合に、電子ビューファインダを非表示にする。これに対して、電子ビューファインダの調整メニューが選択されたときは、液晶表示モニタの向きにかかわらず電子ビューファインダに画像を表示させる。
これにより、電子ビューファインダの調整を容易にすることができるとされている。
【０００５】
また、特許文献３に記載のビデオ一体型カメラでは、電子ビューファインダのカバー部に光センサを設けている。そして、このビデオ一体型カメラは、光センサが光の遮断を検知することで観測者が観測状態に入ったことを検知し、かつ、録画制御スイッチである録画・ポーズボタンあるいはビデオ操作部の録画スイッチが録画状態に設定されると、録画動作を開始させる。
これにより、誤って意図せぬ録画を行うことがなく、不必要な電力やテープの使用が発生しないとされている。
【先行技術文献】
【特許文献】
【０００６】
【特許文献１】特開２００４−１４６８８０号公報
【特許文献２】特開２００８−２８９０５３号公報
【特許文献３】特開平１−９６８５１号公報
【発明の概要】
【発明が解決しようとする課題】
【０００７】
しかしながら、特許文献１に記載の携帯電話機や、特許文献２に記載の撮像装置や、特許文献３に記載のビデオ一体型カメラのように、撮像装置が電子ビューファインダを具備すると、当該撮像装置の小型化が阻害されてしまうおそれがある。例えば、スマートフォンの薄型化への市場要求が強いのに対し、スマートフォンが電子ビューファインダを具備することで、当該スマートフォンの薄型化が阻害されてしまうおそれがある。
【０００８】
本発明は、上述の課題を解決することのできる表示装置、情報機器、情報処理システム、表示方法およびプログラムを提供することを目的としている。
【課題を解決するための手段】
【０００９】
この発明は上述した課題を解決するためになされたもので、本発明の一態様による表示装置は、情報機器から出力される画像データを取得する画像データ取得部と、前記画像データ取得部が取得した画像データの示す画像を表示する電子ビューファインダと、前記情報機器に着脱可能に接する対情報機器合体部と、を具備することを特徴とする。
【００１０】
また、本発明の一態様による情報機器は、表示装置に画像データを出力する画像データ出力部と、前記表示装置に着脱可能に接する対表示装置合体部と、を具備することを特徴とする。
【００１１】
また、本発明の一態様による情報処理システムは、情報機器と表示装置とを具備し、前記情報機器は、前記表示装置に画像データを出力する画像データ出力部と、前記表示装置に着脱可能に接する対表示装置合体部と、を具備し、前記表示装置は、前記画像データ出力部から出力される画像データを取得する画像データ取得部と、前記画像データ取得部が取得した画像データの示す画像を表示する電子ビューファインダと、前記情報機器に着脱可能に接する対情報機器合体部と、を具備することを特徴とする。
【００１２】
また、本発明の一態様による表示方法は、電子ビューファインダを具備し、情報機器に着脱可能な表示装置の表示方法であって、前記情報機器から出力される画像データを取得する画像データ取得ステップと、前記画像データ取得ステップにて取得した画像データの示す画像を前記電子ビューファインダに表示させる表示ステップとを具備することを特徴とする。
【００１３】
また、本発明の一態様によるプログラムは、電子ビューファインダを具備し、情報機器に着脱可能な表示装置を制御するコンピュータに、前記情報機器から出力される画像データを取得する画像データ取得ステップと、前記画像データ取得ステップにて取得した画像データの示す画像を前記電子ビューファインダに表示させる表示ステップとを実行させるためのプログラムである。
【発明の効果】
【００１４】
本発明によれば、撮像装置等の情報機器の小型化を阻害せず、かつ、太陽光の照射する屋外でも画像をより見易く表示することができる。
【図面の簡単な説明】
【００１５】
【図１】本発明の一実施形態における表示装置の機能構成を示す概略ブロック図である。
【図２】同実施形態におけるスマートフォンおよび表示装置の外形の概略を示す斜視図である。
【図３】同実施形態におけるスマートフォンの外形の概略を示す斜視図である。
【図４】同実施形態における情報処理システムの装置構成を示す概略構成図である。
【図５】同実施形態における情報処理システムの機能構成を示す概略ブロック図である。
【図６】同実施形態において、ライブビュー画像を表示する際のスマートフォン側の処理手順を示すフローチャートである。
【図７】同実施形態において、ライブビュー画像を表示する際の表示装置側の処理手順を示すフローチャートである。
【図８】同実施形態において、スマートフォンを単体で使用したときの情報処理システムがライブビュー画像を表示する処理手順の例を示す説明図である。
【図９】同実施形態において、スマートフォンと表示装置を合体したときの情報処理システムがライブビュー画像を表示する処理手順の例を示す説明図である。
【発明を実施するための形態】
【００１６】
以下、図面を参照して、本発明の実施の形態について説明する。
図１は、本発明の一実施形態における表示装置の機能構成を示す概略ブロック図である。同図において、表示装置２００は、画像データ取得部２２と、電子ビューファインダ２１２と、合体部（対情報機器合体部）２３１とを具備する。
【００１７】
表示装置２００は、例えば、充電器などのクレードル装置、または、情報機器のアダプタなど、画像データを出力する情報機器に着脱可能な装置である。
画像データ取得部２２は、情報機器から出力される画像データを取得する。
電子ビューファインダ２１２は、画像データ取得部２２が取得した画像データの示す画像を表示する。ここで、電子ビューファインダとは、周辺光を遮光する覗き窓と、当該覗き窓に設けられた表示画面を有する表示装置である。この電子ビューファインダは、周辺光を遮光して表示画面に画像を表示するので、太陽光の照射する屋外など周囲が明るい状況においても画像を見易く表示できる。
合体部２３１は、情報機器に着脱可能に接する。表示装置２００は、この合体部２３１を用いて情報機器に着脱可能に合体する。
【００１８】
このように、電子ビューファインダ２１２が画像を表示することで、太陽光の照射する屋外など周囲が明るい状況でも画像をより見易く表示できる。すなわち、電子ビューファインダ２１２が画像を表示することで、周囲の光を遮断して画像を表示することができる。従って、周囲が明るい状況において、情報機器が具備するモニタ装置（例えば、液晶ディスプレイ（Liquid Crystal Display；ＬＣＤ））が画像を表示するよりも、電子ビューファインダ２１２が画像を表示するほうが、当該画像をより見易く表示できる。
また、表示装置２００が、情報機器とは別の装置として構成されているので、情報機器の小型化を阻害しない。
【００１９】
次に、図２〜図９を参照して、情報機器がスマートフォンである場合を例に、本発明の実施形態についてさらに詳細に説明する。ただし、本発明の適用範囲は、情報機器がスマートフォンである場合に限らず、画像データを出力する機器であればよい。例えば、情報機器が、携帯電話、ゲーム機、タブレットＰＣ（Personal Computer）、ノートＰＣ、ＰＤＡ（Personal Data Assistants：携帯情報端末）またはデジタルカメラである場合にも本発明を適用可能である。
【００２０】
図２は、本実施形態における情報処理システムの具備するスマートフォンおよび表示装置の外形の概略を示す斜視図である。同図において、スマートフォン１００の具備するモニタ装置１１２と、近接センサ１１３と、入力デバイス１１４と、マイク１１６と、スピーカ１１７とが示されている。また、同図において、表示装置２００の具備する電子ビューファインダ２１２と、近接センサ２１３と、接続端子（画像データ取得部、近接検出信号出力部）２２２と、合体部２３１とが示されている。さらに、表示装置２００の有するカメラ用透過口Ａ２１が示されている。
同図において、図１の各部に対応して同様の機能を有する部分には同一の符号（２００、２１２、２３１）を付している。
【００２１】
スマートフォン１００において、モニタ装置１１２は、例えば液晶ディスプレイ等の表示画面を有し、動画像や静止画像やテキスト（文字）など各種画像を表示する。
入力デバイス１１４は、各種押ボタン（例えば、「ＨＯＭＥ」キーや、「設定」キーや、「戻る」キーや、撮像用のシャッターボタンなど）や、モニタ装置１１２の表示画面に設けられたタッチセンサ（タッチパネル）を含み、ユーザ操作を受け付ける。
【００２２】
マイク１１６は、周囲音を採取し、音声信号としての電気信号に変換して出力する。特に、マイク１１６は、スマートフォン１００が通話機能を実行する際に、ユーザの発話を採取して音声信号を出力する。
スピーカ１１７は、音声信号としての電気信号の入力を受け、当該音声信号に応じた音声を出力する。特に、スピーカ１１７は、スマートフォン１００が通話機能を実行する際に、通話相手の音声を出力する。
【００２３】
近接センサ１１３は、例えば赤外線センサまたは超音波センサなど、物体の近接を検出可能なセンサである。近接センサ１１３は、モニタ装置１１２に近接する物体の有無に応じた信号を出力する。この近接センサ１１３は、スマートフォン１００が通話機能を実行する際に、ユーザの顔面がタッチセンサ（入力デバイス１１４）に接触ないし近接することでの誤動作を防止するために用いられる。
【００２４】
なお、近接センサ１１３として、上記の赤外線センサまたは超音波センサに限らず、物体の近接または接触を検知可能な様々なセンサを用いることができる。例えば、近接センサ１１３は、静電容量式の近接センサであってもよいし、あるいは、接触を検知する接触センサであってもよい。近接センサ１１３が接触センサである場合、抵抗膜式のタッチセンサであってもよいし、圧力を検出するセンサ、または、機械的な接点を有するセンサであってもよい。また、近接センサ１１３が赤外線センサである場合、外部からの微弱な近赤外光の影響を少なくするために、変調をかけた近赤外光を用いた反射型光電センサであってもよい。
【００２５】
表示装置２００において、近接センサ２１３は、例えば赤外線センサまたは超音波センサなど、物体の近接を検出可能なセンサである。近接センサ２１３は、電子ビューファインダ２１２に近接する物体の有無に応じた信号を出力する。
なお、近接センサ２１３として、上記の赤外線センサまたは超音波センサに限らず、物体の近接または接触を検知可能な様々なセンサを用いることができる。例えば、近接センサ２１３は、静電容量式の近接センサであってもよいし、あるいは、接触を検知する接触センサであってもよい。近接センサ２１３が接触センサである場合、抵抗膜式のタッチセンサであってもよいし、圧力を検出するセンサ、または、機械的な接点を有するセンサであってもよい。また、近接センサ２１３が赤外線センサである場合、外部からの微弱な近赤外光の影響を少なくするために、変調をかけた近赤外光を用いた反射型光電センサであってもよい。
【００２６】
接続端子２２２は、スマートフォン１００と表示装置２００とが合体した状態において、スマートフォン１００の具備する接続端子１２２（図３参照）と接触する（接続される）。そして、接続端子２２２は、スマートフォン側の接続端子１２２との間で各種信号の入出力を行う。特に接続端子２２２は、スマートフォン１００が出力する画像データの出力を受け付ける（すなわち、当該画像データを取得する）。また、接続端子２２２は、近接センサ２１３が電子ビューファインダ２１２への物体の近接を検出すると、当該近接を検出したことを示す近接検出信号を出力する。後述するように、この近接検出信号は、モニタ装置１１２の電源ＯＮ（接続）／ＯＦＦ（切断）の切替に用いられる。
【００２７】
なお、本発明は、スマートフォン１００と表示装置２００とのデータ入出力方式に依存しない。従って、スマートフォン１００と表示装置２００とのデータ入出力方式として、接続端子を用いた有線での入出力以外の方式を用いるようにしてもよい。例えば、スマートフォン１００と表示装置２００とが、それぞれ接続端子に換えて、あるいは、接続端子に加えて、無線通信回路を具備し、無線にてデータの入出力（送受信）を行うようにしてもよい。その際、スマートフォン１００と表示装置２００とが、無線通信方式として、無線ＬＡＮ（Local Area Network）の通信方式、あるいは、ｂｌｕｅｔｏｏｔｈ（登録商標）に規定された通信方式に従って、無線通信を行うようにしてもよい。あるいは、スマートフォン１００と表示装置２００とが、赤外線通信など電波以外を媒体とする無線通信を行うようにしてもよい。
【００２８】
電子ビューファインダ２１２は、上述したように、周辺光を遮蔽する覗き窓に設けられた表示画面を有する。この表示画面は、例えば液晶ディスプレイ等を用いて構成され、動画像や静止画像やテキスト（文字）など各種画像を表示する。特に、電子ビューファインダ２１２は、接続端子２２２が取得した、スマートフォン１００からの画像データの示す画像を表示する。
【００２９】
合体部２３１は、スマートフォン１００に着脱可能に接する。より具体的には、合体部２３１は、図２に示すように突起部分を有し、この突起部分を、スマートフォン１００の合体部（対表示装置合体部）１３１（図３参照）に設けられた窪み部分に挿入することで、スマートフォン１００と表示装置２００とを合体させる。また、突起部分に一定の強さ以上の引き抜く力が加わると、当該突起部分は、スマートフォン１００の窪み部分から抜け出る。合体部２３１の突起部分がスマートフォン１００の窪み部分から抜け出ることで、スマートフォン１００と表示装置２００との合体が解消される（すなわち、表示装置２００は、スマートフォン１００から離脱する）。
【００３０】
なお、合体部２３１は、上記の突起部分を有するものに限らず、スマートフォン１００に着脱可能な様々な構成を用いることができる。例えば、合体部２３１（表示装置２００側）と、スマートフォン１００側とで、一部または全部の凹凸が逆であってもよい。あるいは、合体部２３１が磁石を有し、磁力にてスマートフォン１００と表示装置２００とを合体させるようにしてもよい。
【００３１】
カメラ用透過口Ａ２１は、スマートフォン１００の具備する撮像装置１１５（図３参照）への入射光を遮断しないように設けられた開口部である。
【００３２】
図３は、モニタ装置１１２の設けられた面とは逆側から見た場合の、スマートフォンの外形の概略を示す斜視図である。同図において、スマートフォン１００の具備するシャッターボタン（入力デバイス１１４）と、撮像装置（撮像部）１１５と、接続端子（画像データ出力部）１２２と、合体部１３１とが示されている。
【００３３】
撮像装置１１５は、被写体からの光線（入射光）をデジタルの画像信号に変換し、このデジタルの画像信号を画像データとして出力する。
【００３４】
この撮像装置１１５が出力する画像データは、撮像可能な画像または撮像中の画像を示すライブビュー画像として用いられる。ここで、スマートフォン１００は、撮像装置１１５が出力する画像データを保存（記憶デバイス１２１にて記憶）することで、動画像または静止画像の撮像を行う。そして、撮像装置１１５が出力する画像データは、撮像中の画像または（シャッターボタンを押下することで）撮像可能な画像を示すライブビュー画像として、モニタ装置１１２または電子ビューファインダ２１２が表示する。
【００３５】
入力デバイス１１４のシャッターボタンは、撮像装置１１５を用いて動画像または静止画像を撮像するよう指示するユーザ操作を受け付ける押ボタンである。スマートフォン１００は、動画像モードにてシャッターボタンの押下を受けると、シャッターボタンが押下されている間、撮像装置１１５の出力する画像データを動画像データとして、スマートフォン１００の具備する不揮発メモリに保存する（書き込む）。一方、スマートフォン１００は、静止画像モードにてシャッターボタンの押下を受けると、当該押下のタイミングにて、撮像装置１１５の出力する画像データを静止画像データとして不揮発メモリに保存する。
【００３６】
接続端子１２２は、スマートフォン１００と表示装置２００とが合体した状態において、接続端子２２２（図２参照）と接触する（接続される）。そして、接続端子１２２は、接続端子２２２との間で各種信号の入出力を行う。特に、接続端子１２２は、撮像装置１１５の出力する画像データを接続端子２２２に出力する。また、接続端子１２２は、接続端子２２２が出力する近接検出信号を取得する。
【００３７】
合体部１３１は、表示装置２００に着脱可能に接する。より具体的には、合体部１３１は、図３に示すように窪み部分を有し、この窪み部分への合体部２３１（図２）の突起部分の挿入を受けることで、スマートフォン１００と表示装置２００とを合体させる。また、上述したように、合体部２３１の突起部分が合体部１３１の窪み部分から抜け出ることで、スマートフォン１００と表示装置２００との合体が解消される（すなわち、表示装置２００は、スマートフォン１００から離脱する）。
【００３８】
なお、上述したように、合体部２３１の構成として様々な構成を用いることができ、合体部１３１は、合体部１３１に応じた構成とすることができる。例えば、合体部２３１が窪み部分を有する場合、合体部１３１が、当該窪みに応じた突起部分を有するようにする。あるいは、合体部２３１が磁石を有する場合、合体部１３１が、当該磁石に吸着される磁性体（鉄、あるいは、極性が逆の磁石など）を有するようにする。
【００３９】
図４は、同実施形態における情報処理システムの装置構成を示す概略構成図である。
同図において、情報処理システム１は、スマートフォン１００と、表示装置２００とを具備する。スマートフォン１００は、通信回路１１１と、モニタ装置１１２と、近接センサ１１３と、入力デバイス１１４と、撮像装置１１５と、マイク１１６と、スピーカ１１７と、ＲＡＭ（Random Access Memory）１２１−１と、ＲＯＭ（Read Only Memory）１２１−２と、不揮発メモリ１２１−３と、接続端子１２２と、電源装置１２３と、ＣＰＵ（Central Processing Unit、中央処理装置）３５０とを具備する。表示装置２００は、電子ビューファインダ２１２と、近接センサ２１３と、ＲＡＭ２２１−１と、ＲＯＭ２２１−２と、接続端子２２２と、電源装置２２３と、ＣＰＵ４５０とを具備する。
同図において、図２または図３の各部と同一の部分には、同一の符号（１、１００、１１２、１１３、１１４、１１５、１１６、１１７、１２２、２００、２１２、２１３、２２２）を付して説明を省略する。
【００４０】
スマートフォン１００において、通信回路１１１は、携帯電話網に無線にて接続し、各種データを送受信する。ここで、携帯電話網とは、通信事業者が、携帯電話機やスマートフォンなどの携帯通信端末用に提供する通信ネットワークである。
【００４１】
ＲＡＭ１２１−１は、ＣＰＵ３５０のワーキングメモリとして機能し、ＣＰＵ３５０が出力する各種データを一時保存する。ＲＯＭ１２１−２は、ＣＰＵ３５０が読み出して実行するための各種プログラムを記憶している。不揮発メモリ１２１−３は、スマートフォン１００（ＣＰＵ３５０）が実行する各種機能にて生じる各種データを記憶する。例えば、不揮発メモリ１２１−３は、上述したシャッターボタン押下に応じた動画像データまたは静止画像データや、スマートフォン１００が送受信した電子メールデータなどを記憶する。
【００４２】
なお、本発明は、スマートフォン１００の具備する記憶デバイスの構成に依存しない。従って、スマートフォン１００の具備する記憶デバイスとして、上記のＲＡＭ１２１−１、ＲＯＭ１２１−２および不揮発メモリ１２１−３に限らず様々なものを用いることができる。例えば、スマートフォン１００が、ＲＯＭ１２１−２に代えてフラッシュメモリを具備し、当該フラッシュメモリにプログラムを記憶させる（書き込む）ようにしてもよい。データを更新可能なフラッシュメモリがプログラムを記憶することで、スマートフォン１００は、当該プログラムを容易にアップデートすることができる。また、スマートフォン１００の主要な記憶デバイスを、ＮＡＮＤ（Not And）型フラッシュメモリを用いて構成するようにしてもよい。ＮＡＮＤ型フラッシュメモリを用いることで、スマートフォン１００の製造コストの低減を図ることができる。
【００４３】
電源装置１２３は、例えばリチウムイオン電池等の二次電池を有し、スマートフォン１００の各部に電力を供給する。
ＣＰＵ３５０は、ＲＯＭ１２１−２からプログラムを読み出して実行することで、スマートフォン１００の各部を制御して各種機能を実行する。
【００４４】
表示装置２００において、ＲＡＭ２２１−１は、ＣＰＵ３５０のワーキングメモリとして機能する。例えば、ＲＡＭ２２１−１は、スマートフォン１００からの画像データを一時保存する。ＲＯＭ２２１−２は、ＣＰＵ４５０が読み出して実行するための各種プログラムを記憶している。
【００４５】
なお、本発明は、表示装置２００の具備する記憶デバイスの構成に依存しない。従って、表示装置２００の具備する記憶デバイスとして、上記のＲＡＭ２２１−１、ＲＯＭ２２１−２に限らず様々なものを用いることができる。例えば、表示装置２００が、ＲＯＭ２２１−２に代えてフラッシュメモリを具備し、当該フラッシュメモリにプログラムを記憶させる（書き込む）ようにしてもよい。データを更新可能なフラッシュメモリがプログラムを記憶することで、表示装置２００は、当該プログラムを容易にアップデートすることができる。また、表示装置２００の主要な記憶デバイスを、ＮＡＮＤ型フラッシュメモリを用いて構成するようにしてもよい。ＮＡＮＤ型フラッシュメモリを用いることで、表示装置２００の製造コストの低減を図ることができる。
【００４６】
電源装置２２３は、例えばリチウムイオン電池等の二次電池を有し、表示装置２００の各部に電力を供給する。
なお、表示装置２００がスマートフォン１００の充電器である場合、電源装置２２３は、商用電源から電力を取得し、整流や変圧を行ってスマートフォンに電力を供給する。この電力を用いて、スマートフォン１００は、電源装置１２３の二次電池を充電する。なお、この場合、電源装置２２３がスマートフォン１００に、有線にて電力を供給するようにしてもよいし、無線にて電力を供給するようにしてもよい。電源装置２２３が有線にて電力を供給する方法として、例えば、接続端子２２２および接続端子１２２を介してスマートフォン１００に電力を供給する方法が考えられるが、これに限らない。また、電源装置２２３が無線にて電力を供給する方法として、例えば、電磁誘導方式を用いてスマートフォン１００に電力を供給する方法が考えられるが、これに限らない。
【００４７】
ＣＰＵ４５０は、ＲＯＭ２２１−２からプログラムを読み出して実行することで、表示装置の各部を制御する。特に、ＣＰＵ４５０は、スマートフォン１００からの画像データに基づいて、電子ビューファインダ２１２に画像を表示させる。
【００４８】
図５は、同実施形態における情報処理システムの機能構成を示す概略ブロック図である。同図において、情報処理システム１は、スマートフォン１００と、表示装置２００とを具備する。スマートフォン１００は、通信回路１１１と、モニタ装置１１２と、近接センサ１１３と、入力デバイス１１４と、撮像装置１１５と、マイク１１６と、スピーカ１１７と、記憶デバイス１２１と、接続端子１２２と、電源装置１２３と、合体部１３１と、制御部１５０とを具備する。制御部１５０は、通信制御部１５１と、表示制御部１５２と、近接検出部１５３と、入力処理部１５４と、撮像制御部１５５と、音声処理部１５６と、メモリ管理部１６１と、データ転送処理部１６２と、電源制御部１６３と、アプリケーション実行部１６４とを具備する。表示装置２００は、電子ビューファインダ２１２と、近接センサ２１３と、記憶デバイス２２１と、接続端子２２２と、電源装置２２３と、合体部２３１と、制御部２５０とを具備する。制御部２５０は、表示制御部２５２と、近接検出部２５３と、メモリ管理部２６１と、データ転送処理部２６２と、電源制御部２６３とを具備する。
同図において、図２、図３または図４の各部と同一の部分には、同一の符号（１、１００、１１１、１１２、１１３、１１４、１１５、１１６、１１７、１２２、１２３、１３１、２００、２１２、２１３、２２２、２２３、２３１）を付して説明を省略する。
【００４９】
記憶デバイス１２１は、図４を参照して説明したＲＡＭ１２１−１、ＲＯＭ１２１−２および不揮発メモリ１２１−３を有し、上述した各種データを記憶する。
制御部１５０は、ＣＰＵ３５０（図４）が、ＲＯＭ１２１−２からプログラムを読み出して実行することで実現され、スマートフォン１００の各部を制御して各種機能を実行する。
【００５０】
通信制御部１５１は、通信回路１１１（図４）を制御して、携帯電話網への接続やデータの送受信など、通信における各処理を行わせる。また、通信制御部１５１は、通信回路１１１の取得（受信）したデータの出力を受けて、アプリケーション実行部１６４に出力する。
表示制御部１５２は、アプリケーション実行部１６４から出力される画像データに応じてモニタ装置１１２を制御し、当該画像データの示す画像を表示させる。
【００５１】
近接検出部１５３は、近接センサ１１３の出力する信号に基づいて、モニタ装置１１２の表示画面への物体の近接の有無を判定し、判定結果をアプリケーション実行部１６４に出力する。
入力処理部１５４は、入力デバイス１１４が受け付けたユーザ操作に応じて、当該ユーザ操作を示す情報をアプリケーション実行部１６４に出力する。
【００５２】
撮像制御部１５５は、撮像装置１１５を制御して画像データの出力を実行させる。また、撮像制御部１５５は、撮像装置１１５に対して、ピント合わせやズーム操作などの制御を行う。また、撮像制御部１５５は、撮像装置１１５が出力する画像データを取得してアプリケーション実行部１６４に出力する。
【００５３】
音声処理部１５６は、マイク１１６が出力する電気信号をデジタルの音声データに変換してアプリケーション実行部１６４に出力する。また、音声処理部１５６は、アプリケーション実行部１６４が出力するデジタルの音声データをアナログの電気信号に変換してスピーカ１１７に出力し、音声を出力させる。
【００５４】
メモリ管理部１６１は、アプリケーション実行部１６４の指示に従って記憶デバイス１２１からデータを読み出し、読み出したデータをアプリケーション実行部１６４に出力する。また、メモリ管理部１６１は、アプリケーション実行部１６４の指示に従って、記憶デバイス１２１にデータを書き込む（記憶させる）。
【００５５】
データ転送処理部１６２は、接続端子１２２および接続端子２２２を介して表示装置２００とのデータの入出力を行う。特に、データ転送処理部１６２は、アプリケーション実行部１６４の指示に従って、撮像制御部１５５が出力する画像データ（撮像装置１１５が出力するライブビュー画像データ）を、表示装置２００に出力する。また、データ転送処理部１６２は、表示装置２００とのデータ入出力の可否に基づいて、接続端子１２２と接続端子２２２とが接続されているか否かを判定する。
【００５６】
電源制御部１６３は、電源装置１２３を制御して、スマートフォン１００の各部への電源供給のＯＮ／ＯＦＦを切り替える。特に、後述するように、電源制御部１６３は、スマートフォン１００と表示装置２００との接続状況や、電子ビューファインダ２１２への物体の近接の有無に応じて、モニタ装置１１２の電源ＯＮ／ＯＦＦを切り替える。
【００５７】
アプリケーション実行部１６４は、スマートフォン１００の有する各種機能（スマートフォン１００の有する機能を「アプリケーション」とも称する）を実行する。そして、アプリケーション実行部１６４は、各種機能の実行に際して、制御部１５０の各部とのデータの入出力を行う。
特に、アプリケーション実行部１６４は、撮像アプリケーションを実行する際に、撮像装置１１５からの画像データを、撮像制御部１５５を介して取得する。そして、アプリケーション実行部１６４は、当該画像データを、ライブビュー画像データとしてデータ転送処理部１６２に出力し、表示装置２００へ転送（出力）させる。
【００５８】
記憶デバイス２２１は、図４を参照して説明したＲＡＭ２２１−１およびＲＯＭ２２１−２を有し、上述した各種データを記憶する。
制御部２５０は、ＣＰＵ４５０（図４）が、ＲＯＭ２２１−２からプログラムを読み出して実行することで実現され、表示装置２００の各部を制御して各種機能を実行する。
【００５９】
近接検出部２５３は、電子ビューファインダ２１２への物体の近接を検出する。より具体的には、近接検出部２５３は、近接センサ２１３の出力する信号に基づいて、電子ビューファインダ２１２への物体の近接の有無を判定し、判定結果を表示制御部２５２およびデータ転送処理部２６２に出力する。特に、近接検出部２５３は、電子ビューファインダ２１２への物体の近接有りと判定した場合、電子ビューファインダ２１２への物体の近接を検出したことを示す近接検出信号を生成してデータ転送処理部２６２に出力する。
【００６０】
以下に説明するように、スマートフォン１００と表示装置２００とが合体した状態において、近接検出部２５３の判定結果は、電子ビューファインダ２１２の電源ＯＮ／ＯＦＦの切替や画像表示／非表示の切替、および、スマートフォン１００側のモニタ装置１１２の電源ＯＮ／ＯＦＦの切替や画像表示／非表示の切替に用いられる。
すなわち、電源制御部２６３は、近接検出部２５３の判定結果に基づいて、電子ビューファインダ２１２の電源ＯＮ／ＯＦＦを切り替える。そして、電子ビューファインダ２１２の電源がＯＮになっているときに、表示制御部２５２が電子ビューファインダ２１２に画像を表示させる。
また、スマートフォン１００において、電源制御部１６３は、近接検出信号にて取得する近接検出部２５３の判定結果に基づいて、モニタ装置１１２の電源ＯＮ／ＯＦＦを切り替える。そして、モニタ装置１１２の電源がＯＮになっているときに、表示制御部１５２がモニタ装置１１２に画像を表示させる。
【００６１】
表示制御部２５２は、電子ビューファインダ２１２を制御して、各種画像を表示させる。特に、後述するように、表示制御部２５２は、近接検出部２５３が電子ビューファインダ２１２への物体の近接を検出すると、接続端子２２２が取得した画像データの示す画像を電子ビューファインダ２１２に表示させる。
【００６２】
メモリ管理部２６１は、記憶デバイス２２１に対するデータの書込および読出を行う。特に、メモリ管理部２６１は、記憶デバイス２２１からのプログラムの読出を行う。また、メモリ管理部２６１は、表示制御部２５２の指示に従って、スマートフォン１００からの画像データの記憶デバイス２２１への一時保存や読出を行う。
【００６３】
データ転送処理部２６２は、接続端子２２２および接続端子１２２を介してスマートフォン１００とのデータの入出力を行う。特に、データ転送処理部２６２は、スマートフォン１００からの画像データを取得して表示制御部２５２に出力する。また、データ転送処理部２６２は、近接検出部２５３が出力した近接検出信号をスマートフォン１００に出力する。また、データ転送処理部２６２は、スマートフォン１００とのデータ入出力の可否に基づいて、接続端子１２２と接続端子２２２とが接続されているか否かを判定する。
【００６４】
電源制御部２６３は、電源装置２２３を制御して、表示装置２００の各部への電源供給のＯＮ／ＯＦＦを切り替える。特に、後述するように、電源制御部２６３は、電子ビューファインダ２１２への物体の近接の有無に応じて、電子ビューファインダ２１２の電源ＯＮ／ＯＦＦを切り替える。
【００６５】
図６は、撮像装置１１５が出力したライブビュー画像データに基づいてライブビュー画像を表示する際のスマートフォン１００の処理手順を示すフローチャートである。スマートフォン１００は、入力デバイス１１４が、動画像または静止画像の撮像を行うための撮像アプリケーションの起動を指示するユーザ操作を受け付けると同図の処理を開始する。なお、以下の説明は、図５に示した情報処理システム１の構成例に基づいて行う。
【００６６】
図６の処理において、まず、アプリケーション実行部１６４が、動画像または静止画像の撮像を行うための撮像アプリケーションを起動させる（ステップＳ１０１）。そして、アプリケーション実行部１６４は、撮像装置１１５を起動させるよう撮像制御部１５５に指示し、撮像制御部１５５は、当該指示に従って撮像装置１１５を起動させる（ステップＳ１０２）。撮像装置１１５は、起動すると、画像データ（ライブビュー画像データ）の出力を開始する。
【００６７】
次に、アプリケーション実行部１６４は、スマートフォン１００側の接続端子１２２と表示装置２００側の接続端子２２２とが接続されているか否かを判定する（ステップＳ１０３）。具体的には、アプリケーション実行部１６４は、データ転送処理部１６２からの接続状態信号（接続端子１２２と接続端子２２２とが接続されているか否かを示す信号）に基づいて、当該判定を行う。
【００６８】
ここで、スマートフォン１００と表示装置２００とが合体している状態では、スマートフォン１００側の接続端子１２２と表示装置２００側の接続端子２２２とが接続されている。ステップＳ１０３において、接続端子１２２と接続端子２２２とが接続されていると判定した場合（ステップＳ１０３：ＹＥＳ）、アプリケーション実行部１６４は、近接検出部２５３からの近接検出信号の有無を判定する（ステップＳ１１１）。
【００６９】
ここで、前述したように、表示装置２００は、近接センサ２１３を有しており、近接センサ２１３は、電子ビューファインダ２１２に近接する物体の有無を検出する。スマートフォン１００と表示装置２００とが合体した状態で、ユーザが電子ビューファインダ２１２を覗くと、電子ビューファインダ２１２にユーザの顔が近接する。すると、近接センサ２１３は、電子ビューファインダ２１２への物体（ユーザの顔）の近接を検出する。そして、近接検出部２５３は、近接センサ２１３の近接検出に応じて近接検出信号を生成し、表示装置２００側の接続端子２２２と、スマートフォン１００側の接続端子１２２とを介して、当該近接検出信号をスマートフォン１００に出力する。このようにして、アプリケーション実行部１６４は、表示装置２００側の近接センサ２１３からの近接検出信号を取得することができる。
【００７０】
ステップＳ１１１において、近接検出信号有りとアプリケーション実行部１６４が判定した場合（ステップＳ１１１：ＹＥＳ）、電源装置１２３は、モニタ装置１１２の電源をＯＦＦする（ステップＳ１２１）。具体的には、まず、アプリケーション実行部１６４が、モニタ装置１１２の電源をＯＦＦにするよう電源制御部１６３に指示する。そして、電源制御部１６３は、当該指示に従って、モニタ装置１１２の電源をＯＦＦにするよう電源装置１２３を制御する。
【００７１】
また、データ転送処理部１６２は、ライブビュー画像データを表示装置２００に出力する（ステップＳ１２２）。具体的には、まず、アプリケーション実行部１６４が、撮像装置１１５が出力したライブビュー画像データを表示装置２００に出力するようデータ転送処理部１６２に指示する。そして、データ転送処理部１６２は、当該指示に従って、接続端子１２２および２２２を介してライブビュー画像データを表示装置２００に出力する。
【００７２】
次に、アプリケーション実行部１６４は、入力デバイス１１４が撮像アプリケーション終了操作を受け付けたか否かを判定する（ステップＳ１４１）。撮像アプリケーション終了操作を受け付けたと判定した場合（ステップＳ１４１：ＹＥＳ）、同図の処理を終了する。一方、撮像アプリケーション終了操作を受け付けていないと判定した場合（ステップＳ１４１：ＮＯ）、ステップＳ１０３に戻る。
【００７３】
一方、ユーザがスマートフォン１００を単独で使用している状態では、スマートフォン１００側の接続端子１２２と表示装置２００側の接続端子２２２とは接続されていない。ステップＳ０３において、接続端子１２２と接続端子２２２とが接続されていないと判定した場合（ステップＳ１０３：ＮＯ）、電源装置１２３は、モニタ装置１１２の電源をＯＮにする（ステップＳ１３１）。具体的には、まず、アプリケーション実行部１６４が、モニタ装置１１２の電源をＯＮにするよう電源制御部１６３に指示する。そして、電源制御部１６３は、当該指示に従ってモニタ装置１１２の電源をＯＮにするよう電源装置１２３を制御する。
【００７４】
そして、モニタ装置１１２は、撮像装置１１５が出力したライブビュー画像データに基づいて、ライブビュー画像を表示する（ステップＳ１３２）。具体的には、まず、アプリケーション実行部１６４が、ライブビュー画像をモニタ装置１１２に表示させるよう表示制御部１５２に指示する。そして、表示制御部１５２は、当該指示に従って、撮像装置１１５が出力したライブビュー画像データに基づいてモニタ装置１１２にライブビュー画像を表示させる。
その後、ステップＳ１４１に進む。
【００７５】
一方、スマートフォン１００と表示装置２００とが合体していても、ユーザが電子ビューファインダ２１２を覗いていなければ、ステップＳ１０７で、表示装置２００の近接検出部２５３は、近接検出信号を出力しない。ステップＳ１１１において、近接検出信号無しとアプリケーション実行部１６４判定した場合（ステップＳ１１１：ＮＯ）、ステップＳ１３１に進む。
【００７６】
図７は、撮像装置１１５が出力したライブビュー画像データに基づいてライブビュー画像を表示する際の表示装置２００の処理手順を示すフローチャートである。表示装置２００は、表示装置２００自らの電源をＯＮされて動作状態になると同図の処理を開始する。
図７の処理において、まず、データ転送処理部２６２は、スマートフォン１００側の接続端子１２２と表示装置２００側の接続端子２２２とが接続されているか否かを判定する（ステップＳ２０１）。
【００７７】
接続端子１２２と接続端子２２２とが接続されていないとデータ転送処理部２６２が判定した場合（ステップＳ２０１：ＮＯ）、電源制御部２６３は、電子ビューファインダ２１２の電源をＯＦＦにする（ステップＳ２２１）。例えば、ステップＳ２０１で接続端子１２２と接続端子２２２とが接続されていないと判定したデータ転送処理部２６２が、当該判定結果を示す信号を、電源制御部２６３に出力する。そして、電源制御部２６３は、データ転送処理部２６２からの信号に従って、電源装置２２３を制御して電子ビューファインダ２１２の電源をＯＦＦにする。
その後、ステップＳ２０１に戻る。
【００７８】
一方、スマートフォン１００と表示装置２００とが合体した状態では、スマートフォン１００側の接続端子１２２と表示装置２００側の接続端子２２２とが接続されている。ステップＳ２０１において、接続端子２２２と接続端子１２２とが接続されているとデータ転送処理部２６２が判定した場合（ステップＳ２０１：ＹＥＳ）、近接検出部２５３は、電子ビューファインダ２１２への物体の近接の有無を判定する（ステップＳ２０２）。
【００７９】
具体的には、近接センサ２１３が、近接センサ２１３自らに対する（従って、電子ビューファインダ２１２への）物体の近接の有無を示すセンサ信号を近接検出部２５３に出力する。そして、近接検出部２５３は、近接センサ２１３からのセンサ信号に基づいて、電子ビューファインダ２１２への物体の近接の有無を判定する。
【００８０】
ここで、ユーザが電子ビューファインダ２１２を覗いている状態では、ユーザの顔が近接センサ２１３に近接しており、近接検出部２５３は、電子ビューファインダ２１２への物体（ユーザの顔）の近接有りと判定する。
ステップＳ２０２において、近接有りと判定した場合（ステップＳ２０２：ＹＥＳ）、近接検出部２５３は、近接検出信号を生成し、データ転送処理部２６２と接続端子２２２および１２２とを介してスマートフォン１００に出力する（ステップＳ２１１）。
【００８１】
また、電源制御部２６３は、電子ビューファインダ２１２の電源をＯＮにする（ステップＳ２１２）。例えば、ステップＳ２０２で電子ビューファインダ２１２への物体の近接を検出した近接検出部２５３が、近接検出信号を電源制御部２６３に出力する。そして、当該近接検出信号の出力を受けた電源制御部２６３は、電源装置２２３を制御して、電子ビューファインダ２１２の電源をＯＮにする（ステップＳ２１２）。
【００８２】
ステップＳ１２２（図６）で説明したように、表示装置２００がスマートフォン１００に近接検出信号を出力すると、スマートフォン１００は、撮像装置１１５が出力したライブビュー画像データを、表示装置２００に出力する。表示装置２００では、接続端子２２２およびデータ転送処理部２６２を介して、表示制御部２５２が、当該ライブビュー画像データを取得して、ライブビュー画像を電子ビューファインダ２１２に表示させる（ステップＳ２２１３）。
その後、ステップＳ２０１に戻る。
【００８３】
一方、ユーザの顔が電子ビューファインダ２１２から離れている状態では、近接検出部２５３は、電子ビューファインダ２１２への物体の近接無しと判定する。
ステップＳ２０２において、近接検出部２５３が電子ビューファインダ２１２への物体の近接無しと判定した場合（ステップＳ２０２：ＮＯ）、ステップＳ２２１に進む。
【００８４】
図８および図９は、情報処理システムがライブビュー画像を表示する処理手順の例を示す説明図である。図８は、スマートフォン１００が単独で動作する場合の処理手順の例を示す。図９は、スマートフォン１００と表示装置２００とが合体して動作する場合の処理手順の例を示す。
【００８５】
図８に示すように、ユーザがスマートフォン１００を単独で使用して、動画像または静止画像の撮像を行う場合、アプリケーション実行部１６４が、撮像アプリケーションを起動させる（ステップＳ５０１）。そして、アプリケーション実行部１６４は、撮像装置１１５を起動させるよう撮像制御部１５５に指示し、撮像制御部１５５は、当該指示に従って撮像装置１１５を起動させる（ステップＳ５０２）。
【００８６】
次に、アプリケーション実行部１６４は、スマートフォン１００側の接続端子１２２と表示装置２００側の接続端子２２２とが接続されているか否かを判定する（ステップＳ５０３）。ここでは、スマートフォン１００は単独で動作しており、表示装置２００に接続していない。
この場合、電源制御部１６３は、アプリケーション実行部１６４からの指示に従って、モニタ装置１１２の電源をＯＮにする（ステップＳ５０４）。そして、表示制御部１５２は、アプリケーション実行部１６４からの指示に従って、撮像装置１１５が出力したライブビュー画像データに基づくライブビュー画像をモニタ装置１１２に表示させる（ステップＳ５０５）。
このようにして、ユーザは、モニタ装置１１２の表示するライブビュー画像にて、撮像画像（例えば、撮像中の動画像や、撮像可能な静止画像）を確認することができる。
【００８７】
図９に示すように、ユーザがスマートフォン１００と表示装置２００と合体させて使用して、動画像または静止画像の撮像を行う場合、スマートフォン１００のアプリケーション実行部１６４は、撮像アプリケーションを起動させる（ステップＳ６０１）。そして、アプリケーション実行部１６４は、撮像装置１１５を起動させるよう撮像制御部１５５に指示し、撮像制御部１５５は、当該指示に従って撮像装置１１５を起動させる（ステップＳ６０２）。
【００８８】
次に、アプリケーション実行部１６４は、スマートフォン１００側の接続端子１２２と表示装置２００側の接続端子２２２とが接続されているか否かを判定する（ステップＳ６０３）。また、表示装置２００において、データ転送処理部２６２が、スマートフォン１００側の接続端子１２２と表示装置２００側の接続端子２２２とが接続されているか否かを判定する（ステップＳ６１１）。ここでは、スマートフォン１００と表示装置２００とが合体しており、アプリケーション実行部１６４と、データ転送処理部２６２とは、いずれも、接続端子１２２と接続端子２２２とが接続されていると判定する。
【００８９】
ここで、ユーザが撮像画像を確認するために電子ビューファインダ２１２を覗いている状態では、近接センサ２１３は、電子ビューファインダ２１２に近接する物体（ユーザの顔）があることを検出する（ステップＳ６１２）。当該検出に基づいて、近接検出部２５３は、近接検出信号を生成し、当該近接検出信号を、データ転送処理部２６２と接続端子２２２および１２２とを介してスマートフォン１００に出力する（ステップＳ６１３）。
また、電源制御部２６３は、電子ビューファインダ２１２の電源をＯＮにする（ステップＳ６１４）。
【００９０】
スマートフォン１００において、アプリケーション実行部１６４は、近接検出部２５３からの近接検出信号の有無を判定する（ステップＳ６２１）。ここでは、アプリケーション実行部１６４は、ステップＳ６１３で近接検出部２５３が出力する近接検出信号に基づき、近接検出信号有りと判定する。
【００９１】
そして、電源制御部１６３は、アプリケーション実行部１６４からの指示に従って、モニタ装置１１２の電源をＯＦＦにする（ステップＳ６２２）。また、データ転送処理部１６２は、アプリケーション実行部１６４からの指示に従って、接続端子１２２および２２２を介してライブビュー画像データを表示装置２００に出力する（ステップＳ６２３）。
【００９２】
表示装置２００において、表示制御部２５２は、スマートフォン１００からのライブビュー画像データを取得し、このライブビュー画像データに基づくライブビュー画像を電子ビューファインダ２１２に表示させる（ステップＳ６３１）。
このようにして、ユーザは、電子ビューファインダ２１２の表示するライブビュー画像にて、撮像画像を確認することができる。
【００９３】
一方、ユーザが電子ビューファインダ２１２から顔を離した状態では、表示装置２００の近接センサ２１３は、電子ビューファインダ２１２への物体の近接を検出せず、近接検出部２５３は、近接検出信号を出力しない（ステップＳ６４１）。
この場合、電源制御部２６３は、電子ビューファインダ２１２の電源をＯＦＦにする（ステップＳ６４２）。
【００９４】
また、スマートフォン１００において、アプリケーション実行部１６４は、近接検出部２５３からの近接検出信号の有無を判定する（ステップＳ６５１）。ここでは、アプリケーション実行部１６４は、近接検出信号無しと判定する。
そして、電源制御部１６３は、アプリケーション実行部１６４からの指示に従って、モニタ装置１１２の電源をＯＮにする（ステップＳ６５２）。そして、表示制御部１５２は、撮像装置１１５が出力したライブビュー画像データに基づいて、ライブビュー画像をモニタ装置１１２に表示させる（ステップＳ６５３）。
このようにして、ユーザは、モニタ装置１１２のライブビュー画像にて、撮像画像を確認することができる。
【００９５】
以上のように、動画像または静止画像の撮像を行う際に、ユーザがスマートフォン１００を単独で使用する場合、スマートフォン１００のモニタ装置１１２が、撮像装置１１５の出力したライブビュー画像データに基づいてライブビュー画像を表示する。
一方、ユーザがスマートフォン１００と表示装置２００とを合体して使用する場合、ユーザが電子ビューファインダ２１２に顔を近づけているときは、電子ビューファインダ２１２がライブビュー画像を表示する。また、ユーザが電子ビューファインダ２１２から顔を遠ざけているときは、モニタ装置１１２がライブビュー画像を表示する。
特に、電子ビューファインダ２１２が画像を表示することで、太陽光の照射する屋外でも画像をより見易く表示できる。また、表示装置２００が、情報機器とは別の装置として構成されているので、情報機器の小型化を阻害しない。
【００９６】
また、情報処理システム１は、スマートフォン１００側のモニタ装置１１２の表示／非表示切替と、表示装置２００側の電子ビューファインダ２１２の表示／非表示切替とを同期させている。具体的には、情報処理システム１は、近接検出部２５３の出力する近接検出信号に基づいて、モニタ装置１１２と電子ビューファインダ２１２とを切り替えて、何れか一方にライブビュー画像を表示させ、他方の機能を停止させている。このような同期動作を行うことで、モニタ装置１１２と電子ビューファインダ２１２のうち、いずれか一方のみを動作させて他方の動作を停止させることができ、消費電力の削減を図ることができる。
【００９７】
特に、近接検出部２５３が電子ビューファインダ２１２への物体の近接を検出すると、制御部２５０（表示制御部２５２）が、ライブビュー画像を電子ビューファインダ２１２に表示させる。従って、電子ビューファインダ２１２への物体（特にユーザの顔）の近接の有無に応じて、ユーザが電子ビューファインダ２１２を覗いていないときに、電子ビューファインダ２１２を非表示とすることができる。この点で、表示装置２００の消費電力の削減を図ることができる。
【００９８】
また、近接検出部２５３は、電子ビューファインダ２１２への物体の近接を検出すると、近接検出信号をスマートフォン１００に出力する。従って、スマートフォン１００は、近接検出信号の出力を受けていない場合の、ライブビュー画像データの出力を抑制することができ、この点で、スマートフォン１００の負荷や消費電力の削減を図ることができる。
【００９９】
ただし、情報処理システム１が、モニタ装置１１２と電子ビューファインダ２１２とを同期させずに、別々に表示／非表示を切り替えるようにしてもよい。例えば、制御部２５０（表示制御部２５２および電源制御部２６３）は、近接センサ２１３の物体検出状況に基づいて電子ビューファインダ２１２の表示のＯＮ／ＯＦＦを切り替える。一方、制御部１５０（表示制御部１５２および電源制御部１６３）が、表示装置２００との接続の有無に基づいて、モニタ装置１１２の表示のＯＮ／ＯＦＦを切り替えるようにしてもよい。あるいは、制御部１５０（表示制御部１５２および電源制御部１６３）が、入力デバイス１１４の受け付けるユーザ操作に基づいて、モニタ装置１１２の表示のＯＮ／ＯＦＦを切り替えるようにしてもよい。
【０１００】
なお、本発明は、電子ビューファインダ２１２が表示する画像の種類や内容に依存しない。従って、電子ビューファインダ２１２が表示する画像は、撮像装置１１５のライブビュー画像に限らず、様々な画像とすることができる。例えば、スマートフォン１００がテレビ受像回路を具備して、表示装置２００にテレビ放送画像を画像データにて出力し、電子ビューファインダ２１２が当該テレビ放送画像を表示するようにしてもよい。この場合、電子ビューファインダ２１２は、周囲が明るい状況においてもテレビ放送画像を見易く表示することができる。
【０１０１】
なお、情報処理システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０２】
以上、本発明の実施形態について図面を参照して詳述してきたが、具体的な構成はこの実施形態に限られるものではなく、この発明の要旨を逸脱しない範囲の設計変更等も含まれる。
【０１０３】
上記の実施形態の一部または全部は、以下の付記のようにも記載され得るが、以下には限られない。
【０１０４】
（付記１）情報機器から出力される画像データを取得する画像データ取得部と、前記画像データ取得部が取得した画像データの示す画像を表示する電子ビューファインダと、前記情報機器に着脱可能に接する対情報機器合体部と、を具備することを特徴とする表示装置。
【０１０５】
（付記２）前記電子ビューファインダへの物体の近接を検出する近接検出部と、前記近接検出部が前記近接を検出すると、前記画像データ取得部が取得した画像データの示す画像を前記電子ビューファインダに表示させる制御部と、を具備することを特徴とする付記１に記載の表示装置。
【０１０６】
（付記３）前記近接検出部が前記近接を検出したことを示す近接検出信号を出力する近接検出信号出力部を具備することを特徴とする付記２に記載の表示装置。
【０１０７】
（付記４）表示装置に画像データを出力する画像データ出力部と、前記表示装置に着脱可能に接する対表示装置合体部と、を具備することを特徴とする情報機器。
【０１０８】
（付記５）入射光を画像データに変換し出力する撮像部を具備し、前記画像データ出力部は、前記撮像部の出力する画像データを出力することを特徴とする付記４に記載の情報機器。
【０１０９】
（付記６）情報機器と表示装置とを具備し、前記情報機器は、前記表示装置に画像データを出力する画像データ出力部と、前記表示装置に着脱可能に接する対表示装置合体部と、を具備し、前記表示装置は、前記画像データ出力部から出力される画像データを取得する画像データ取得部と、前記画像データ取得部が取得した画像データの示す画像を表示する電子ビューファインダと、前記情報機器に着脱可能に接する対情報機器合体部と、を具備することを特徴とする情報処理システム。
【０１１０】
（付記７）電子ビューファインダを具備し、情報機器に着脱可能な表示装置の表示方法であって、情報機器から出力される画像データを取得する画像データ取得ステップと、前記画像データ取得ステップにて取得した画像データの示す画像を前記電子ビューファインダに表示させる表示ステップとを具備することを特徴とする表示方法。
【０１１１】
（付記８）電子ビューファインダを具備し、情報機器に着脱可能な表示装置を制御するコンピュータに、情報機器から出力される画像データを取得する画像データ取得ステップと、前記画像データ取得ステップにて取得した画像データの示す画像を前記電子ビューファインダに表示させる表示ステップとを実行させるためのプログラム。
【符号の説明】
【０１１２】
１  情報処理システム
１００  スマートフォン
１１１  通信回路
１１２  モニタ装置
１１３、２１３  近接センサ
１１４  入力デバイス
１１５  撮像装置
１１６  マイク
１１７  スピーカ
１２１、２２１  記憶デバイス
１２２、２２２  接続端子
１２３、２２３  電源装置
１３１、２３１  合体部
１５０、２５０  制御部
２００  表示装置
２１２  電子ビューファインダ
【図１】
2013175971.tif 000003
【図２】
2013175971.tif 000004
【図３】
2013175971.tif 000005
【図４】
2013175971.tif 000006
【図５】
2013175971.tif 000007
【図６】
2013175971.tif 000008
【図７】
2013175971.tif 000009
【図８】
2013175971.tif 000010
【図９】
2013175971.tif 000011